(57)【特許請求の範囲】
【請求項１】
作業機で発生した塵を軟質ホースを介して集塵機に吸引する集塵装置において、
集塵機の吸引管の先端部を、端辺がらせん状に延出する突出部となりかつ端辺に沿った部分がラッパ状に拡開するように形成し、この先端部に軟質ホースの端部をねじ込み嵌合状態として連結したことを特徴とする集塵装置。
【請求項２】
作業機は部品供給用テープカセットを備えた実装機であり、塵はカットされたテーピング屑である請求項１記載の集塵装置。
【発明の詳細な説明】
【０００１】
【発明の属する技術分野】
本発明は、作業機で発生した塵を、吸引して集める集塵装置に関するものである。
【０００２】
【従来の技術】
従来の集塵装置としては、作業機で発生した塵をホッパーで集め、ホッパーと集塵機との間を軟質ホースで連結し、集塵機に吸引するものが知られている。
【０００３】
以下図４〜図９を参照して、上述した従来の集塵装置の構成及び動作について説明する。
【０００４】
図４は、集塵装置全体の概要を示す構成図で、１は屑を収拾するための集塵用モータ等が設置されている集塵機本体、２は屑の収集箱、３は集塵機本体１の吸引口となる金属パイプ製の吸引管、４は集塵経路を自在に配することができる軟質ホース、５は実装機等の作業機から発生するカットされたテーピング屑などの屑を集める集塵口ホッパー、６，６は軟質ホース４を吸引管３と集塵口ホッパー５とにそれぞれ固定する金属製のバンドである。
【０００５】
図５は、屑７が収拾される経路断面図で、８は集塵用モータ、９はフィルターであり、屑７は矢印の方向に吸引される。
【０００６】
以下、集塵装置の動作を図５を参照して説明する。
【０００７】
作業機から発生した屑７は、集塵口ホッパー５上に落下し、集塵口ホッパー５の内面の傾斜により、軟質ホース４がバンド６によって接続されたホッパー中心部の出口に集まり、集塵機本体１内の集塵用モータ８が発生する吸引力により、集塵経路に配した軟質ホース４を経由して吸引管３に達し、吸引管３を通過して集塵機本体１内の屑７の収拾箱２に集められる。なお屑７の収拾箱２は、集塵機本体１から引き出せるように設置されており、屑７で一杯になると集塵機本体１から引き出して溜まった屑７を外部に排出するようになっている。
【０００８】
図６は、軟質ホース４と吸引管３との接続部を、バンド６を省略して示した拡大図である。軟質ホース４の内周面と吸引管３の先端部３ａには段差が生じている。また図７の断面図に示すように軟質ホース４の内周面と吸引管３の外周面との間には、隙間１０が存在している。
【０００９】
図８は、吸引管３の先端部３ａの端辺を、軟質ホース４の内周面との間に段差が生じないようにテーパ面１１を有するようにした従来例を示した図である。この従来例においては、段差は解消しているが、軟質ホース４の内周面と吸引管３の外周面との間には依然として隙間１０が存在している。
【００１０】
図９は、吸引管３の先端部３ａを、軟質ホース４の内周面との間に段差が生じないようにラッパ状に拡開して軟質ホース４の内周面と吸引管３の内周面とが段差無くなめらかにつながるようにした従来例を示した図である。先端部の端辺部１２が軟質ホース４の内周面に食い込んでいる。
【００１１】
【発明が解決しようとする課題】
上記の従来例の構成では図６に示すように、吸引管３の先端部３ａの端辺と軟質ホース４との間に段差が生じて屑７が引っ掛かったり、図７に示すように、吸引管３の外周面と軟式ホース４の内周面との間に隙間１０が存在して、その隙間１０に屑７が入り込んだりして、軟質ホース４や吸引管３に詰まりが発生するという問題が生じていた。特に部品供給用テープカセットを備えた実装機から排出されるカットされたテーピング屑を集塵する場合に上記問題が顕著に発生する。
【００１２】
図８に示すように、吸引管３の先端部３ａの端辺にテーパ面１１を形成して軟質ホース４との間に段差が生じないようにしても、吸引管３の外周面と軟式ホース４の内周面との間の隙間１０は依然として存在しており隙間１０に屑７が入り込み詰まりが発生するという問題は解消されない。
【００１３】
図９に示すように、吸引管３の先端部３ａをラッパ状にして、軟質ホース４の内面と吸引管３の内面を段差無く結ぶ方法にすると、段差と隙間はなくなるが軟質ホース４に吸引管３を食い込ませて接続する作業が極めて困難であるという別の問題が生じる。
【００１４】
本発明の目的は、軟質ホースと吸引管との接続部に発生していた段差と隙間をなくし、屑が段差に引っ掛かったり隙間に入り込んだりして、軟質ホースや吸引管に詰まりが発生するという問題を解消し、かつ軟質ホースと吸引管とをスムーズに連結できる集塵装置を提供することにある。
【００１５】
【課題を解決するための手段】
本発明は上記目的を達成するため、作業機で発生した塵を軟質ホースを介して集塵機に吸引する集塵装置において、集塵機の吸引管の先端部を、端辺がらせん状に延出する突出部となりかつ端辺に沿った部分がラッパ状に拡開するように形成し、この先端部に軟質ホースの端部をねじ込み嵌合状態として連結したことを特徴とする。
【００１６】
この吸引管の先端部の端辺に沿った部分をラッパ状に拡開した構造により、軟質ホースの内面と吸引管の内面を段差無く、隙間無く結ぶことができる。これによってテーピング屑等の屑の詰まる箇所、引っ掛かる箇所がなくなり、軟質ホースや吸引管に詰まりが発生するという問題を解決することができる。また、吸引管の先端部を、端辺がらせん状に延出する突出部となりかつ端辺に沿った部分がラッパ状に拡開するように形成しているので、吸引管の先端部に軟式ホースの端部をねじ込み嵌合状態とする作業を円滑容易に行うことができ、吸引管と軟式ホースとの連結をスムーズに行うことができる。さらに、軟質ホースと吸引管との連結部はねじ込み嵌合状態となっているので、両者の連結は強固なものとなっている。従って従来例において必要であった金属製のバンドを省略することも可能である。勿論連結状態をより確実にするために金属製のバンドを軟質ホース４の外周面に取り付けてもよい。
【００１７】
【発明の実施の形態】
以下、本発明の一実施の形態の集塵装置について図１〜図３を参照しながら説明する。
【００１８】
上記集塵装置における集塵機本体，収集箱，軟質ホース，集塵口ホッパー等は、前記図４，５に示した従来例と基本的に同一に構成されているため、その説明を省略する。
【００１９】
図１は、集塵機の吸引管１３と軟質ホース４との接続部を拡大した図であり、軟質ホース４は金属製の吸引管１３の外周にねじ込み嵌合状態として連結されている。
【００２０】
吸引管１３の先端部１４は、図１から図３に示すように、端辺１５がらせん状に延出する突出部となり、端辺１５に沿った部分１６がラッパ状に拡開するように形成されている。図示する例では図３の展開図に示すように、端辺１５が１周分（その展開長さをＡで示す。）らせん状に延出している。なお、図１〜図３において、１７は先端部１４をラッパ状に拡開する際の折り曲げ線を示している。
【００２１】
吸引管１３の先端部１４を軟質ホース４の端部に連結する際には、軟質ホース４の端部を、吸引管１３の先端部１４にねじ込むように回転させながらねじ込み嵌合状態とすることにより、スムーズな連結作業を行うことができる。そしてラッパ状に拡開した先端部１４の端辺１５が図２に示すように軟質ホース４の内周面に回転しながら、食い込んでいき軟質ホース４の内周面と、吸引管１３の内周面とが段差無く，隙間無く結ばれるため、屑７が接続部の段差に引っ掛かったり隙間に入り込んだりすることがなく、集塵口ホッパー５から収拾箱２までスムーズに流れていく。そのため、屑７の収拾経路の途中に詰まりが発生し、生産を止めて清掃するといった余分な作業も発生せず、連続生産を可能にすることができる。
【００２２】
【発明の効果】
本発明によれば、テーピング屑などの屑が軟質ホースと吸引管との連結部に引っ掛かることなくスムーズに流れ、収集経路の途中に詰まりが発生することを防止できると共に、軟質ホースと吸引管との連結作業をスムーズに行うことができる集塵装置を提供することができる。
【図面の簡単な説明】
【図１】本発明の実施の形態にかかる集塵装置の要部を示す一部切欠斜視図である。
【図２】上記要部の一部切欠断面図である。
【図３】吸引管の先端部の展開図である。
【図４】従来例の集塵装置を示す斜視図である。
【図５】その屑収拾経路を示す断面図である。
【図６】その要部を示す一部切欠斜視図である。
【図７】その要部の断面図である。
【図８】他の従来例の吸引管と軟質ホースとの接続部を示す断面図である。
【図９】更に別の従来例の吸引管と軟質ホースとの接続部を示す断面図である。
【符号の説明】
１  集塵機本体
４  軟質ホース
７  屑
１３  吸引管
１４  先端部
１５  端辺
１６  端辺に沿った部分
【図１】
0004020478.tif 000002
【図２】
0004020478.tif 000003
【図３】
0004020478.tif 000004
【図４】
0004020478.tif 000005
【図５】
0004020478.tif 000006
【図６】
0004020478.tif 000007
【図７】
0004020478.tif 000008
【図８】
0004020478.tif 000009
【図９】
0004020478.tif 000010